(57)【要約】【課題】製作が容易で、侵入してきた水を確実に排水する電子機器操作盤の壁取り付け電源収納ボックスを実現する。【解決手段】電源収納ボックス２００の取付枠部２０２の正面左より排水リブ２１１、２１２、２１３の３ヶ所が収納部２０１の上面に位置するように設けられる。それぞれの排水穴２１４、２１５、２１６には谷状に傾斜した排水リブ２１１、２１２、２１３が電子機器操作盤１００の後ケース１０２の背面との空間に、後ケース１０２に密着するまで伸延し、取付枠部２０２の上面の全長に、収納部２０１の上面全部をカバーするように設置されている。【選択図】図３
2010098898.tif 000002
【特許請求の範囲】
【請求項１】
屋内壁面に取付けられる電子機器操作盤の電源を収納する収納部を備え、前記電子機器操作盤を壁面に取り付け電源を壁内に埋め込む電源収納ボックスにおいて、前記電子機器操作盤との接合部から浸透する水分を受けるように排水穴を中心として谷状に傾斜した形状である排水リブを設け、前記排水リブを前記電子機器操作盤の後面に密着させる形状に形成した電源収納ボックス。
【請求項２】
前記排水穴を、前記収納部の上面となる位置に設置したことを特徴とする請求項１記載の電源収納ボックス。
【請求項３】
前記収納部の上面及び背面に排水溝を設置し、前記排水溝は前記排水穴と連通していることを特徴とする請求項２記載の電源収納ボックス。
【請求項４】
前記収納部の上面に設けた排水溝が後面へ向けて傾斜していることを特徴とする請求項３記載の電源収納ボックス。
【発明の詳細な説明】
【技術分野】
【０００１】
本発明は、屋内に取付けられる電子機器操作盤の電源を内部に収納し壁内面に埋め込まれるとともに電子機器操作盤を壁面に体裁よく取付けるための電源収納ボックスに関するものである。
【背景技術】
【０００２】
近年、家庭の電子化ＩＴ化が進み宅内に様々な電子機器が取付けられるようになった。例えばマンションなどの集合住宅や一般の戸建住宅においても、給湯器のリモコンやＴＶ付きインターホン、インターネット端末、ホームセキュリティシステムの操作盤など、様々な電子機器の操作盤が多数取付けられている。
【０００３】
これらの電子機器操作盤の多くは有線で交流電源が接続されているが、交流電源線は室内に露出して配線すると見栄えが悪いため、取付けられる壁面の内側に穴を開けて、その穴より引き出し直接操作盤の裏面に接続している。また操作盤の種類によっては交流電源を直流に変換する電源が操作盤の外部に必要となり、電源を収納するとともに体裁よく操作盤を壁面に取り付ける壁埋め込み電源ボックスが開発されている。
【０００４】
この電子機器操作盤は電源ボックスを介して壁面に取付けられるが、家庭内では台所や洗面所などの、いわゆる水回りの場所に設置される例も多く、屋内といっても水が誤ってかかる可能性が高く、水が内部に浸入すると電子部品や電源部の故障・異常などが懸念される。そのため電源収納ボックスには、電子操作盤との間に水が浸入しても容易に排水される構造が必要となっている。
【０００５】
この排水構造の従来例としてジャンクションボックス等の防水ボックスとハーネス導入用のプロテクタとの組付け構造を、図７、８、９に示す。防水ボックス７０１は内部に図示しない電子部品等を内蔵し、開口部に対向して合成樹脂製のプロテクタ７０２をロック爪７０３等により被着させる。プロテクタ７０２には排水用のガイドリブ７０４が側溝部７０５に向けて傾斜して設けられ、ガイドリブ７０４の前端上端部に全長には突条７０６が設けられ、ロック爪７０３の型抜き穴７０７を通して入る水の浸入を防止する構造となっている。
【特許文献１】特開平７−３９０４７号公報
【発明の開示】
【発明が解決しようとする課題】
【０００６】
しかしながら上記の従来例では、排水部が防水ボックスの電子部品の収納部と隔離されておらず、ロック爪周囲の溝や型抜き穴から侵入した水がプロテクターのガイドリブに設けられた突条を乗り越えて、防水ボックス内部の電子部品にかかり悪影響を及ぼす懸念がある。突条についても合成樹脂で成形する場合、成型したプロテクターを金型から離型させるための機構が複雑となり設置が困難である。またガイドリブで受けた水を側溝部に導き排水する構造となっているが、ボックス内部に構造上位置を動かすことのできない構造部品があり側溝をボックス上部より下部まで設けることができない場合は、排水リブを設けられない。
【課題を解決するための手段】
【０００７】
本発明は上記の課題を解決するため、電源収納ボックスに排水穴を設け、排水用のリブを電源収納部より電子機器操作盤の後面に密着させて、排水穴に向け傾斜して設置するものである。
【発明の効果】
【０００８】
本発明ではかかる課題を解決し、侵入してきた水を確実に排水し、製作が容易な電子機器操作盤の壁埋め込み電源収納ボックスを提供可能となる。
【発明を実施するための最良の形態】
【０００９】
第１の発明の電源収納ボックスは、屋内壁面に取付けられる電子機器操作盤の電源を収納する収納部を備え、前記電子機器操作盤との接合部から浸透する水分を受けるように排水穴を中心として谷状に傾斜した形状である排水リブを設け、前記排水リブを前記電子機器操作盤の後面に密着させる形状に形成したものである。
【００１０】
これによれば、電源収納ボックスに排水リブを、電子機器操作部後面に密着して設置するため、水が排水リブより溢れて電源などの収納部内部に侵入することがない。また電源収納ボックスに壁面に通ずる排水穴を設けたため電源収納ボックスの上部より下部まで通ずる排水溝を設ける必要がない。よって任意の位置に排水リブを設けることができる。
【００１１】
第２の発明は、特に第１の発明の排水穴を収納部の上面となる位置に設置したものである。これによれば、排水穴より誘導された水が前記電源収納部の上面を沿って壁内側に排出されるため、電源収納ボックス下部より排水がしみ出たり、内部に水が滞留することない。
【００１２】
第３の発明は、特に第２の発明において、収納部の上面及び背面に排水溝を設置し、排水溝は排水穴と連通してように形成したものである。これによれば、電源収納ボックスの排水穴より誘導された水が、電源収納部の上面から後面に至る排水溝を沿って壁内側に確実に排出される。
【００１３】
第４の発明は、特に第３の発明において、収納部の上面に設けた排水溝が後面へ向けて傾斜するように形成するものである。これによれば、電源収納ボックスの排水穴より誘導された水が、前記電源収納部の上面の傾斜により後面に確実に誘導される。
【００１４】
以下、本発明の実施の形態について図面を用いて説明する。なお、この実施の形態によって本発明が限定されるものではない。
【００１５】
（実施の形態１）
電子機器操作盤１００は、電源収納ボックス２００を介して壁面３００に取り付けられる。
【００１６】
電子機器操作盤１００は、前ケース１０１と後ケース１０２とを組み合わすことで形成され、前面（前ケース１０１表面）には電源収納ボックス２００に収納された電子機器を操作するための操作部１０３が設けられている。
【００１７】
また、図２に示すように、電子機器操作盤１００の後面（後ケース１０２表面）には電子機器操作盤１００の強度を高めるための補強リブ１０４が設けられている。補強リブ１０４は、後ケース１０２表面に対して凸状に形成されるものである。同じように、凸状にねじ穴１０５、１０６、１０７が形成されている。
【００１８】
電源収納ボックス２００は合成樹脂で形成され、中央に凹状の収納部２０１が形成され、収納部２０１には電流変換器や電子機器（図示せず）が収納される。また、収納部２０１を囲むようにした取付枠部２０２にはねじ穴２０３、２０４、２０５及びねじ穴２０６、２０７、２０８、２０９が設けてある。ねじ穴２０３はねじ穴１０５と、ねじ穴２０４
はねじ穴１０６と、ねじ穴２０５はねじ穴１０７と向かい合い、電子機器操作盤１００と電源収納ボックス２００をねじで一体に固定できる。また、収納部２０１の横面には、壁面３００内部より引き込まれた交流電源線や電話線（図示せず）を取込むための取込み穴２１０が設けられている。
【００１９】
また、取付枠部２０２には、表面に対して凸状である排水リブ２１１、２１２、２１３が形成されている。排水リブ２１１、２１２、２１３は、取付枠部２０２を貫通した排水穴２１４、２１５、２１６に向けて谷状に傾斜した形状となっている。これは、上側から染み込む水分が排水穴２１４、２１５、２１６に集まるようにするためのものである。さらに、電子機器操作盤１００と電源収納ボックス２００とを合わせて固定するときに、電子機器操作盤１００の背面と排水リブ２１１、２１２、２１３とが隙間なく密着するように、排水リブ２１１、２１２、２１３の高さが設定されている。
【００２０】
また、図４に示すように、電源収納ボックス２００の後ろ面には、排水リブ２１１、２１２、２１３から流れ出る水分を背面に誘導するための凸状の排水溝２１７、２１８、２１９が収納部２０１の上面と後側面に形成されている。
【００２１】
さらに、図５に示すように、収納部２０１の上面（図５の箇所Ａ）は、排水溝２１７、２１８、２１９を流れる水分が下側へ流れやすくするために、地面に対して若干（地面に対して２〜３度）傾いて形成されている。
【００２２】
図６を用いて、電源収納ボックス２００を流れる水分の経路を矢印に示す。まず、電子機器操作盤１００と電源収納ボックス２００との接合部から漏れ出る水分は、自身の表面張力と重力のため取付枠部２０２の内壁を伝わって排水リブ２１１、２１２、２１３に落下する。排水リブ２１１、２１２、２１３に落ちた水は設けられた傾斜により排水穴２１４、２１５、２１６に導かれ、排水穴２１４、２１５、２１６を通過して収納部２０１の上部に排出される。同様に電子機器操作盤１００と電源収納ボックス２００との接合部に大量の水がかかった場合は、周辺部に設けられた排水リブ２１１、２１２、２１３が浸入した水を受け、それぞれ排水穴２１４、２１５、２１６に導き排水される。
【００２３】
このとき排水リブ２１１、２１２、２１３は後ケース１０２の背面と密着しているため、排水リブ２１１、２１２、２１３から溢れ出て収納部２０１や電子機器操作盤１００の後ケース１０２の背面へ浸入することはない。また、本実施の形態のように電子機器操作盤１００の後ケース１０２の背面に設けられた補強リブ１０４との干渉を避けるために設けられた２ヶ所の避け溝２２０で縁切られていて、排水溝２１７、２１８、２１９を収納部２０１に設けることができない場合も、縁切られた左右および中央部にそれぞれ排水穴と排水リブを設けることにより排出可能としている。
【００２４】
壁面３００は、電源収納ボックス２００を取付けるため、収納部２０１よりも若干大きい寸法で中央を略正方形状に貫通している。そして、貫通穴の四隅には、ねじ穴３０１、３０２、３０３、３０４が設けられ、ねじ穴２０６はねじ穴３０１と、ねじ穴２０７はねじ穴３０２と、ねじ穴２０８はねじ穴３０３と、ねじ穴２０９はねじ穴３０４と向かい合い、電源収納ボックス２００を壁面３００にねじで一体に固定できる。
【００２５】
以上のような構成にすることにより、電子機器操作盤と電源収納ボックスとの間に水が浸透しても、電源収納ボックス内部に設けられた排水リブと排水穴が、収納部に水を浸入させることなく効果的に水を電源収納ボックスの外に排出させることが可能となる。また構造をリブ、穴、溝と単純な形状で構成したため、パッキンなどの追加部品が不要で容易に製作できる電源収納ボックスを提供可能となる。
【産業上の利用可能性】
【００２６】
以上のように本発明にかかる電源収納ボックスの排水構造は、取付枠部の内部に侵入してきた水を導く排水用のリブを、水を収納ボックス内部より外部に排出する排水穴を、そして排出された水を壁内側に導く排水溝を電源収納部上部に設置したので侵入してきた水を確実に排水できるので、様々な機器の電源収納ボックスとして利用可能である。
【図面の簡単な説明】
【００２７】
【図１】本発明の実施の形態における電源収納ボックスの構造および取り付けを示す構成図
【図２】本発明の実施の形態における電子機器操作盤の後ケースの後面斜視図
【図３】本発明の実施の形態における電源収納ボックスの正面図
【図４】本発明の実施の形態における電源収納ボックスの後面斜視図
【図５】本発明の実施の形態における電源収納ボックスの横側面図
【図６】本発明の実施の形態における壁に取り付けた電源収納ボックスと電子機器操作盤の中央垂直断面図
【図７】従来例における防水ボックスの排水構造の構成図
【図８】従来例における防水ボックスの要部断面図
【図９】従来例における防水ボックスの拡大斜視図
【符号の説明】
【００２８】
１００  電子機器操作盤
２００  電源収納ボックス
２０１  収納部
２０２  取付枠部
２１１、２１２、２１３  排水リブ
２１４、２１５、２１６  排水穴
【図１】
2010098898.tif 000003
【図２】
2010098898.tif 000004
【図３】
2010098898.tif 000005
【図４】
2010098898.tif 000006
【図５】
2010098898.tif 000007
【図６】
2010098898.tif 000008
【図７】
2010098898.tif 000009
【図８】
2010098898.tif 000010
【図９】
2010098898.tif 000011